【手続補正書】
【提出日】平成27年2月9日(2015.2.9)
【手続補正１】
【補正対象書類名】特許請求の範囲
【補正対象項目名】請求項１
【補正方法】変更
【補正の内容】
【請求項１】
遊技の進行を制御する主制御装置と、
前記主制御装置からの情報の通知に基づいて演出内容を制御する演出制御装置と、
前記主制御装置に設けられ、遊技の進行状況に応じて第１遊技領域に遊技球を発射すべきか、前記第１遊技領域とは異なる第２遊技領域に遊技球を発射すべきかを決定する発射位置決定手段と、
前記主制御装置に制御され、前記発射位置決定手段による決定内容に基づいて、前記第１遊技領域に遊技球を発射すべきことを促す態様の第１表示を行うか前記第２遊技領域に遊技球を発射すべきことを促す態様の第２表示を行う発射位置指定表示手段と、
前記主制御装置に設けられ、前記発射位置決定手段による決定内容に関する発射位置指定情報を前記演出制御装置に対して通知する発射位置指定情報通知手段と、
前記演出制御装置に設けられ、前記発射位置指定情報通知手段により通知された発射位置指定情報に基づいて、前記第１遊技領域に遊技球を発射すべきことを促す態様の第１演出を行うか前記第２遊技領域に遊技球を発射すべきことを促す態様の第２演出を行うことにより発射位置指定演出を実行する発射位置指定演出実行手段と
を備える遊技機。
【手続補正２】
【補正対象書類名】特許請求の範囲
【補正対象項目名】請求項６
【補正方法】変更
【補正の内容】
【請求項６】
請求項１から５のいずれかに記載の遊技機において、
少なくとも前記第１遊技領域を流下する遊技球が通過することで第１段階目の抽選契機を発生させる始動ゲートと、
前記第１段階目の抽選契機が発生すると、前記第１段階目の抽選契機とは別の第２段階目の抽選契機の発生に関わる第１段階抽選を実行する第１段階抽選実行手段と、
前記第２段階目の抽選契機が発生すると、前記第１段階抽選の条件として特定の条件を適用するべきか否かに関わる第２段階抽選を実行する第２段階抽選実行手段と、
前記第１段階抽選実行手段により前記第１段階抽選が実行されると、所定の変動時間にわたって第１図柄を変動表示させた後に前記第１段階抽選の結果を表す態様で前記第１図柄を停止表示させる第１図柄表示手段と、
前記第２段階抽選実行手段により前記第２段階抽選が実行されると、所定の変動時間にわたって第２図柄を変動表示させた後に前記第２段階抽選の結果を表す態様で前記第２図柄を停止表示させる第２図柄表示手段と、
前記第２遊技領域に配置され、前記第１図柄表示手段により所定の当選態様で前記第１図柄が停止表示されたことを契機として、前記第２段階目の抽選契機の発生が不能な非作動状態から、前記第２段階目の抽選契機の発生が可能な作動状態に変化する作動を行う可変始動入賞装置と、
前記第２遊技領域に配置され、前記第２図柄表示手段により特定の当選態様で前記第２図柄が停止表示されたことを契機として、規定期間にわたり特別な入賞の発生が不能な閉止状態から、前記特別な入賞の発生が可能な開放状態に変化する開放動作を行う可変入賞装置と、
前記第２段階抽選にて前記第１段階抽選に前記特定の条件を適用する旨の抽選結果が得られた場合、前記可変入賞装置による前記開放動作の終了後に、少なくとも通常の頻度で前記第２段階抽選についての抽選契機が発生する非時間短縮状態から、前記非時間短縮状態と比較して高い頻度で前記第２段階抽選についての抽選契機が発生する時間短縮状態に移行させる時間短縮状態移行手段と、
前記時間短縮状態移行手段により前記時間短縮状態に移行された場合、前記第２段階抽選で得られる抽選結果を前記第１段階抽選に前記特定の条件を適用する旨の抽選結果に制限する第２段階抽選結果制限手段と、
前記第２段階抽選実行手段による前記第２段階抽選で当選が得られる度ごとに、前記第２段階抽選結果制限手段が前記第２段階抽選で得られる抽選結果を制限することが可能な残り回数を設定する残回数設定手段と、
前記残回数設定手段により設定された残り回数が規定値に達すると、前記第２段階抽選結果制限手段による前記第２段階抽選で得られる抽選結果の制限を解除する第２段階抽選結果制限解除手段と、
前記第２段階抽選結果制限解除手段により抽選結果の制限が解除された状態で行われた前記第２段階抽選にて前記第１段階抽選に前記特定の条件を適用しない旨の抽選結果が得られた場合、前記時間短縮状態から前記非時間短縮状態へ復帰させる非時間短縮状態復帰手段とをさらに備えることを特徴とする遊技機。
【手続補正３】
【補正対象書類名】明細書
【補正対象項目名】００２２
【補正方法】変更
【補正の内容】
【００２２】
これに対して、本解決手段では、主制御装置での処理に発射位置指定情報（発射位置指定コマンド）を組み込んでいるため、発射位置の指定が直接的なものとなり、主制御装置と演出制御装置との間で発射位置に関する情報が不整合となるリスクを軽減させることができる。
また、本解決手段では、発射位置指定情報が他の情報から独立した情報になるため、例えば右打ち演出中に何らかの理由で左打ちに対応する発射位置指定情報が送信されてくるような状況下でも柔軟に対応することができる。そして、このような場合には、即座に左打ち演出に切り替えることができ、主制御装置と演出制御装置との間で発射位置の指定に関する情報が不一致となる事態を回避することができる。
本発明によれば、他の情報から独立した発射位置指定情報に基づいて、発射位置指定演出を実行するため、主制御装置と演出制御装置との間で、発射位置の指定に関する情報の不整合状態が発生することを軽減させることができる。
【手続補正４】
【補正対象書類名】明細書
【補正対象項目名】００３６
【補正方法】変更
【補正の内容】
【００３６】
解決手段６：本解決手段の遊技機は、解決手段１から５のいずれかにおいて、少なくとも前記第１遊技領域を流下する遊技球が通過することで第１段階目の抽選契機を発生させる始動ゲートと、前記第１段階目の抽選契機が発生すると、前記第１段階目の抽選契機とは別の第２段階目の抽選契機の発生に関わる第１段階抽選を実行する第１段階抽選実行手段と、前記第２段階目の抽選契機が発生すると、前記第１段階抽選の条件として特定の条件を適用するべきか否かに関わる第２段階抽選を実行する第２段階抽選実行手段と、前記第１段階抽選実行手段により前記第１段階抽選が実行されると、所定の変動時間にわたって第１図柄を変動表示させた後に前記第１段階抽選の結果を表す態様で前記第１図柄を停止表示させる第１図柄表示手段と、前記第２段階抽選実行手段により前記第２段階抽選が実行されると、所定の変動時間にわたって第２図柄を変動表示させた後に前記第２段階抽選の結果を表す態様で前記第２図柄を停止表示させる第２図柄表示手段と、前記第２遊技領域に配置され、前記第１図柄表示手段により所定の当選態様で前記第１図柄が停止表示されたことを契機として、前記第２段階目の抽選契機の発生が不能な非作動状態から、前記第２段階目の抽選契機の発生が可能な作動状態に変化する作動を行う可変始動入賞装置と、前記第２遊技領域に配置され、前記第２図柄表示手段により特定の当選態様で前記第２図柄が停止表示されたことを契機として、規定期間にわたり特別な入賞の発生が不能な閉止状態から、前記特別な入賞の発生が可能な開放状態に変化する開放動作を行う可変入賞装置と、前記第２段階抽選にて前記第１段階抽選に前記特定の条件を適用する旨の抽選結果が得られた場合、前記可変入賞装置による前記開放動作の終了後に、少なくとも通常の頻度で前記第２段階抽選についての抽選契機が発生する非時間短縮状態から、前記非時間短縮状態と比較して高い頻度で前記第２段階抽選についての抽選契機が発生する時間短縮状態に移行させる時間短縮状態移行手段と、前記時間短縮状態移行手段により前記時間短縮状態に移行された場合、前記第２段階抽選で得られる抽選結果を前記第１段階抽選に前記特定の条件を適用する旨の抽選結果に制限する第２段階抽選結果制限手段と、前記第２段階抽選実行手段による前記第２段階抽選で当選が得られる度ごとに、前記第２段階抽選結果制限手段が前記第２段階抽選で得られる抽選結果を制限することが可能な残り回数を設定する残回数設定手段と、前記残回数設定手段により設定された残り回数が規定値に達すると、前記第２段階抽選結果制限手段による前記第２段階抽選で得られる抽選結果の制限を解除する第２段階抽選結果制限解除手段と、前記第２段階抽選結果制限解除手段により抽選結果の制限が解除された状態で行われた前記第２段階抽選にて前記第１段階抽選に前記特定の条件を適用しない旨の抽選結果が得られた場合、前記時間短縮状態から前記非時間短縮状態へ復帰させる非時間短縮状態復帰手段とをさらに備えることを特徴とする遊技機である。
【手続補正５】
【補正対象書類名】明細書
【補正対象項目名】００５５
【補正方法】変更
【補正の内容】
【００５５】
本発明によれば、発射位置の指定に関する情報の不整合状態が発生することを軽減させることができる。